(57)【要約】【課題】広い表示面積の画像表示部を備え機器自体の小型化を実現しかつ少ない操作部材により良好な操作性を確保し得る携帯型画像表示機器を提供する。【解決手段】本体の表面の略中央部分に配置される画像表示部１８と、画像表示部の一方の側部近傍にあって画像表示部の縦辺と略平行に配置される回転軸１５ｘによって回動自在に軸支され画像表示部の画面上の表示について主に横方向の位置を指示する回転操作式の第１の操作部１５ａと、画像表示部の他方の側部近傍にあって画像表示部の縦辺と略平行となる縦長状に設けられ画像表示部の画面上の表示について主に縦方向の位置を指示する接触操作方式の第２の操作部１６とを備えて構成する。【選択図】図１
2006303714.tif 000002
【特許請求の範囲】
【請求項１】
本体の表面の略中央部分に配置される画像表示部と、
上記画像表示部の一方の側部近傍にあって、上記画像表示部の縦辺と略平行に配置される回転軸によって回動自在に軸支され、上記画像表示部の画面上の表示について主に横方向の位置を指示する回転操作式の第１の操作部と、
上記画像表示部の他方の側部近傍にあって、上記画像表示部の縦辺と略平行となる縦長状に設けられ、上記画像表示部の画面上の表示について主に縦方向の位置を指示する接触操作式の第２の操作部と、
を備えていることを特徴とする携帯型画像表示機器。
【請求項２】
上記第１の操作部は上記画像表示部に向かって右側縁部近傍に、
上記第２の操作部は上記画像表示部に向かって左側縁部近傍に、
それぞれ配置されていることを特徴とする請求項１に記載の携帯型画像表示機器。
【請求項３】
上記第１の操作部は円筒形状の操作部材を有してなり、
この操作部材は、上記本体における一方の側縁部近傍の角隅部に配設されていることを特徴とする請求項１に記載の携帯型画像表示機器。
【請求項４】
上記第２の操作部は上記画像表示部の一側部の一辺の長さと略同等の長さを有する縦長状に形成され、
上記第２の操作部に隣接する上記画面表示部の領域に複数の設定アイコンを表示させ、上記複数の設定アイコンのうち設定を所望する設定アイコンに隣接し対応する上記第２の操作部の所定の部位に対しての接触操作によって、当該設定アイコンに対応する指示を実行する制御部を備えていることを特徴とする請求項１に記載の携帯型画像表示機器。
【請求項５】
上記画像表示部に、上記第１の操作部による操作の対象となる第１のアイコン群を上記画像表示部の横方向に並べて表示させると共に、上記第２の操作部による操作の対象となる第２のアイコン群を上記画像表示部の縦方向に並べて表示させる制御部を備えていることを特徴とする請求項１〜請求項３のうちいずれか一つに記載の携帯型画像表示機器。
【請求項６】
上記第１のアイコン群と上記第２のアイコン群とは階層的に上下関係にあることを特徴とする請求項５に記載の携帯型画像表示機器。
【請求項７】
上記第２の操作部は、その背後に表示部材が設けられていることを特徴とする請求項１に記載の携帯型画像表示機器。
【請求項８】
上記表示部材に、上記第２の操作部によって操作指示可能な範囲を表示させる制御部を備えていることを特徴とする請求項７に記載の携帯型画像表示機器。
【請求項９】
上記第１の操作部の上記操作部材の両端縁部近傍には、当該操作部材を挟むようにして第３の操作部が配置されていることを特徴とする請求項１に記載の携帯型画像表示機器。
【請求項１０】
上記第１の操作部の回転操作に応じて当該回転する方向と同じ方向に現在表示中の表示画像を移動表示させつつ、次に表示する画像に切換表示する画像切換部を備えていることを特徴とする請求項１に記載の携帯型画像表示機器。
【請求項１１】
上記画像切換部は、上記第１の操作部の回転角度に応じて表示画像を移動させることを特徴とする請求項１０に記載の携帯型画像表示機器。
【請求項１２】
本体背面の略中央部分に配置される画像表示部と、
上記画像表示部の側部近傍にあって、上記画像表示部の縦辺と略平行に配置される回転軸によって回動自在に軸支され、上記画像表示部の画面上の表示について主に横方向の位置を指示する回転操作式の第１の操作部と、
上記画像表示部の側部近傍にあって、上記画像表示部の横辺と略平行に配置される回転軸によって回動自在に軸支され、上記画像表示部の画面上の表示について主に縦方向の位置を指示する回転操作式の第２の操作部と、
を備えていることを特徴とする携帯型画像表示機器。
【請求項１３】
本体背面の略中央部分に配置される画像表示部と、
上記画像表示部の側部近傍にあって、上記画像表示部の縦辺と略平行に配置される回転軸によって回動自在に軸支され、上記画像表示部の画面上の表示について主に横方向の位置を指示する回転操作式の第１の操作部と、
上記画像表示部の側部近傍にあって、上記画像表示部の画面上の表示について主に縦方向の位置を指示する接触操作式の第２の操作部と、
を備えていることを特徴とする携帯型画像表示機器。
【請求項１４】
カメラの背面において略中央部位に配設される画像表示部と、
上記画像表示部の一方の側部近傍にあって、上記画像表示部の縦辺と略平行に配置される回転軸によって回動自在に軸支され、上記画像表示部の画面上の表示について主に横方向の位置を指示する回転操作式の第１の操作部と、
上記画像表示部の他方の側部近傍にあって、上記画像表示部の縦辺と略平行となる縦長状に設けられ、上記画像表示部の画面上の表示について主に縦方向の位置を指示する接触操作式の第２の操作部と、
を備えていることを特徴とするカメラ。
【請求項１５】
上記第１の操作部は上記画像表示部に向かって右側縁部近傍に、
上記第２の操作部は上記画像表示部に向かって左側縁部近傍に、
それぞれ配置されていることを特徴とする請求項１４に記載のカメラ。
【請求項１６】
上記第１の操作部は円筒形状の操作部材を有してなり、
上記操作部材は、上記カメラの背面における一方の側縁部近傍の角隅部に配設されていることを特徴とする請求項１４に記載のカメラ。
【請求項１７】
上記第１の操作部による操作の対象となる第１のアイコン群を上記画像表示部に列状に表示させ、上記第１のアイコン群の上位または下位の階層に属し、上記第２の操作部による操作の対象となる第２のアイコン群を上記画像表示部に表示される上記第１のアイコン群に対して直交するように表示させる制御部を備えていることを特徴とする請求項１４に記載のカメラ。
【発明の詳細な説明】
【技術分野】
【０００１】
この発明は、携帯型画像表示機器及び画像表示装置を有するカメラ、詳しくは特に省スペース設計を施して良好な操作性を具備した操作部を有して構成されている携帯型画像表示機器及び画像表示装置を有するカメラに関するものである。
【背景技術】
【０００２】
近年、カメラ機能附き携帯電話やデジタルカメラ等によって取得した電子的な画像データを画像として表示し得るように構成される携帯型の画像表示機器、例えば画像ビュワー等についての提案は種々なされており、また一般に実用化されている。
【０００３】
また、近年においては、カメラ機能附き携帯電話やデジタルカメラ等、電子的な画像データを取得するための画像入力機器は広く普及しており、これらの画像入力機器においても、自身が具備する画像表示装置等を利用することで、その機器自体を携帯型の画像表示機器として利用し得るような構成のものが一般に実用化され広く普及している。
【０００４】
そして、このような画像表示機器やデジタルカメラ等（以下、携帯型画像表示機器という）における画像表示装置については、これを用いて表示する画像が大きなものであることが望ましい。そのために、近年の携帯型画像表示機器においては、搭載する画像表示装置を大型化することによって、その画像表示部の表示面積が広大化する傾向にある。
【０００５】
しかしながら、大画面サイズの画像表示部を備えるためには、携帯型画像表示機器の筐体サイズが大型化することによって実現し得る。しかし、筐体サイズが大型化することによってその機器自体の携帯性が損なわれてしまうことにもなりかねない。
【０００６】
そこで、機器自体の筐体サイズの大型化を抑止して、機器の携帯性を確保しながら、大画面サイズの画像表示部を備えるとすると、この画像表示部の近傍に設けられる各種の操作部材の配置場所が限られてしまうことになる。
【０００７】
すなわち、大画面サイズの画像表示部を有する携帯型画像表示機器において、その筐体サイズの小型化を実現するためには、例えば操作部材数を減少させたり、操作部材の操作部（操作ボタンなど）の形状を小型化するなどの工夫が施される。すると、その結果、操作部材の操作性、ひいては機器自体の操作性が悪化してしまうという問題が生じてしまうことになる。
【０００８】
一方、従来の携帯型画像表示機器においては、例えば画面上を指等で接触することで所定の指示入力をおこない得るようにしたタッチパネル方式の画面表示部等を適用するという提案がある。
【０００９】
しかしながら、このタッチパネル方式の画像表示部では、確実な操作を常に的確におこなうことが困難であったり、また画面に直接指等が振れることにより画面表面が汚れてしまうという新たな課題が生じる。
【００１０】
以上のような課題を考慮した上で、従来の携帯型画像表示機器において適用される操作部材についての種々の提案が、例えば特開２００２−３５４３１１号公報や特開２００２−１５０８９４号公報や特開平１１−２４２６７５号公報等によってなされている。
【００１１】
上記特開２００２−３５４３１１号公報によって開示されている携帯型画像表示機器は、画像表示部を備えたデジタルカメラについての例を示している。このデジタルカメラにおいては、その背面側に設けられる画像表示部の周縁部近傍であって、長辺及び短辺に沿う所定の部位のそれぞれに線状かつ連続的に形成される接触型入力指示部を配置している。この接触型入力指示部においては、その検出面を接触状態で移動させることで、その移動に応じて制御操作がおこなわれるように構成されている。
【００１２】
また、上記特開２００２−１５０８９４号公報によって開示されている携帯型画像表示機器は、例えば画像表示部を備えた携帯電話についての例を示している。この携帯電話においては、回転ダイヤル式の操作部材の両脇に押圧ボタン式の操作部材を並べて配置している。そして、回転ダイヤル式の操作部材によって画面の切り換え操作をおこない、押圧ボタンによって選択指示入力等をおこない得るように構成している。このような回転ダイヤル式の操作部材は、押圧ボタン式のものよりも迅速に切り換え操作をおこなうことができると共に、回転方向を変えるのみで方向の切り換えも容易におこない得るという利点がある。
【００１３】
さらに、上記特開平１１−２４２６７５号公報によって開示されている携帯型画像表示機器は、画像表示部の周縁部近傍の所定の部位に回転ダイヤル式の操作部材を配置して、これを用いて表示部に表示される表示内容の切り換えをおこなうようにしたものである。
【特許文献１】特開２００２−３５４３１１号公報
【特許文献２】特開２００２−１５０８９４号公報
【特許文献３】特開平１１−２４２６７５号公報
【発明の開示】
【発明が解決しようとする課題】
【００１４】
一般に携帯型画像表示機器においては、画像表示部の画面内において二次元的に配置される各情報に対して、操作部材を用いて指示や入力をおこなうのに際して迅速かつ容易に操作し得ることが要求されている。
【００１５】
ところが、携帯型画像表示機器において画像表示部を配置する表面の面積に比して、画像表示部の表示面積が広くなる程、操作部材を配置するための領域が少なくなることから上述した各公報によって開示されている手段では、充分に良好な操作性を確保することができないという問題点がある。
【００１６】
例えば、上記特開２００２−３５４３１１号公報によって開示されているものでは、使用者が機器を持った状態で二つの接触型入力指示部を同時に操作することは困難な配置であると考えられる。したがって、二つの接触型入力指示部のうちいずれか一方ずつを別々に操作せざるを得ないという問題点がある。
【００１７】
また、上記特開２００２−１５０８９４号公報や上記特開平１１−２４２６７５号公報によって開示されているものにおいても、使用者が機器を持った状態で操作するには、その操作性が必ずしも良好なものとはいえない。
【００１８】
本発明は、上述した点に鑑みてなされたものであって、その目的とするところは、広い表示面積を有する画像表示部を備えながら機器自体の小型化を実現し、かつ少ない操作部材によって良好な操作性を確保することのできる構成の携帯型画像表示機器を提供することである。
【課題を解決するための手段】
【００１９】
上記目的を達成するために、本発明による携帯型画像表示機器は、本体の表面の略中央部分に配置される画像表示部と、上記画像表示部の一方の側部近傍にあって、上記画像表示部の縦辺と略平行に配置される回転軸によって回動自在に軸支され、上記画像表示部の画面上の表示について主に横方向の位置を指示する回転操作式の第１の操作部と、上記画像表示部の他方の側部近傍にあって、上記画像表示部の縦辺と略平行となる縦長状に設けられ、上記画像表示部の画面上の表示について主に縦方向の位置を指示する接触操作式の第２の操作部とを備えていることを特徴とする。
【発明の効果】
【００２０】
本発明によれば、広い表示面積を有する画像表示部を備えながら機器自体の小型化を実現し、かつ少ない操作部材によって良好な操作性を確保することのできる構成の携帯型画像表示機器を提供することができる。
【発明を実施するための最良の形態】
【００２１】
以下、図示の実施の形態によって本発明を説明する。  
図１〜図５は、本発明の一実施形態の携帯型画像表示機器の外観を示す図である。このうち、図１は正面図、図２は背面図、図３は上面図、図４は図１の矢印[IV]方向から見た左側面図、図５は図１の矢印[V]方向から見た右側面図である。図６は、本実施形態の携帯型画像表示機器の概略的な内部構成を示す要部ブロック構成図である。図７は、本実施形態の携帯型画像表示機器を使用する様子を示す図である。図８〜図３０は、本実施形態の携帯型画像表示機器の作用を説明する図である。
【００２２】
本発明の一実施形態においては、携帯型画像表示機器として電子的な画像データを取得し、取得した画像データを画像として表示し得る画像表示部を具備するデジタルカメラを例にあげて説明している。
【００２３】
まず、本実施形態の携帯型画像表示機器としてのデジタルカメラ（以下、単にカメラという）１の構成について、図１〜図５及び図６を用いて以下に説明する。
【００２４】
本実施形態のカメラ１は、カメラ１の前面側を覆うように配設される前面カバー１１と、同様にカメラ１の背面側を覆うように配設される背面カバー１２と、前面カバー１１及び背面カバー１２との間に挟持される中カバー１３とによって構成される外装部材によって、略箱型形状の筐体が形成されている。そして、この外装部材の内部空間に撮影光学系や撮像素子や電気回路等の各種の構成部材を具備して構成されている。
【００２５】
前面カバー１１の略中央部分にはレンズバリア１１ａが図１の矢印Ｘ方向に摺動自在に配設されている。このレンズバリア１１ａは、矢印Ｘ方向に移動することで、内部に配設される撮影光学系（図示せず）の前面を覆う位置（図１の状態）と、同撮影光学系の前面を露呈する位置とに設定し得るように形成されている。
【００２６】
また、前面カバー１１の正面に向かって右上隅部近傍には、撮影補助光である閃光を発光するための閃光発光装置（図示せず）の発光窓１１ｂが配設されている。
【００２７】
カメラ１の上面側には、各種の操作部材、例えばシャッターレリースボタン１４ａ，ズームレバー１４ｂ，電源オンオフボタン１４ｃ，静止画撮影モード切換ボタン１４ｄ，動画撮影モード切換ボタン１４ｅ，再生ボタン１４ｆ等が配設されている。
【００２８】
カメラ１の正面に向かって左側面には、本カメラ１を携帯する際に用いるストラップ等を取り付けるための吊り具１７が配設されている。
【００２９】
そして、カメラ１の背面側には、その略中央部分に画像表示部１８が配設されている。この画像表示部１８の表示画面は、当該カメラ１の背面側における表面積の大部分を占めている。
【００３０】
そして、画像表示部１８の一方の側部近傍の領域にあって、図２においてカメラ１の背面に向かって（画像表示部１８に向かって）右側の領域には、回転操作式の第１の操作部である回転入力指示部１５ａと、この回転入力指示部１５ａの長手方向における両端部近傍にあって同回転入力指示部１５ａを挟むように配設される押圧操作式の第３の操作部である第１押圧入力指示部１５ｂ及び第２押圧入力指示部１５ｃと、通常の押しボタン式操作部材であってメニュー表示や決定指示をおこなうメニューボタン１９ａと、撮影動作時には閃光発光装置の動作モードを切り換える機能を有し再生動作時には画像表示部１８に表示中の特定画像の消去指示をおこなう閃光モード／消去ボタン１９ｂとが配設されている。
【００３１】
回転入力指示部１５ａは、画像表示部１８の縦辺と略平行に内部に配置される回転軸１５ｘ（図３において点線で示す）によって回動自在に軸支される略円筒形状の操作部材によって形成されている。この回転入力指示部１５ａの操作部材は、図２に示すように本カメラ１の背面に向かって右側縁部であって背面カバー１２の角隅部に配設されている。なお、回転入力指示部１５ａと第１押圧入力指示部１５ｂ及び第２押圧入力指示部１５ｃとは、略同軸上に並べて配置されている。
【００３２】
そして、回転入力指示部１５ａを回転操作することによって、画像表示部１８の画面上の表示について主に横方向の位置を指示することができるようになっている（詳細は後述する作用の欄を参照）。
【００３３】
一方、画像表示部１８の他方の側部近傍の領域であって、図２においてカメラ１の背面に向かって（画像表示部１８に向かって）左側の領域には、画像表示部１８の縦辺と略平行となる縦長状に連続的に形成される接触操作式の第２の操作部である接触型入力指示部１６が配設されている。この接触型入力指示部１６は、画像表示部１８の一側部の一辺（本実施形態においては短辺）の長さと略同等の長さを有する縦長状に形成される接触型検出センサ等からなるものである。接触型入力指示部１６としては、例えばタッチパッド等が適用される。
【００３４】
そして、接触型入力指示部１６に対して所定の操作をおこなうことによって、画像表示部１８の画面上の表示について主に縦方向の位置を指示することができるようになっている（詳細は後述する作用の欄を参照）。
【００３５】
なお、本実施形態においては、回転入力指示部１５ａと、第１押圧入力指示部１５ｂと、第２押圧入力指示部１５ｃとをまとめて右側操作部１５とも総称する。この場合には、これに対して接触型入力指示部１６を左側操作部と称するものとする。
【００３６】
カメラ１の内部構成は、図６に示すようになっている。すなわち、本カメラ１は、光学レンズ等によって構成される撮影光学系２１と、この撮影光学系２１によって形成される光学的な被写体像を受けて電子的な画像データを生成する処理である光電変換をおこなうＣＣＤ等の撮像素子２２と、この撮像素子２２によって生成された画像データを受けて所定の信号処理を行ないデジタル画像信号を出力する撮像部２３と、この撮像部２３から出力されるデジタル画像信号を受けて所定の画像信号処理をおこなう画像処理部２４と、この画像処理部２４からの出力を受けて画像データを記憶する画像メモリ２５と、画像処理部２４からの出力を受けて表示用の画像信号を生成する表示処理部２６と、この表示処理部２６からの出力を受けて画像を表示する画像表示部１８（図６では単に表示部と明記してある）と、本カメラ１の動作を全体的に制御する制御部となるＣＰＵ２０と、各種のプログラム及び撮影条件アイコン等の画像データを予め格納するロム（ＲＯＭ）２８と、閃光発光装置であるストロボ部２９と、画像を表示したり本カメラの各種の設定画面（メニュー画面等）等を表示する画像表示部１８と、本カメラ１に設けられる各種の操作部材であって例えば回転入力指示部１５ａ等を含む操作部２７と、接触型検出センサ等からなる接触型入力指示部１６（第２の操作部。図６ではタッチパッドとして図示している）と、この接触型入力指示部１６に連動し同指示部１６による指示部位の表示等をおこなう発光ダイオード（ＬＥＤ）３０等によって主に構成されている。
【００３７】
なお、ＣＰＵ２０，撮像素子２２，撮像部２３，画像処理部２４，画像メモリ２５，表示処理部２６，画像表示部１８等の各構成部材間は信号線２０ａによって電気的に接続されている。
【００３８】
上記操作部２７としては、例えば回転入力指示部１５ａ（第１の操作部），第１押圧入力指示部１５ｂ及び第２押圧入力指示部１５ｃ（第３の操作部）や、シャッターレリースボタン１４ａ，ズームレバー１４ｂ，電源オンオフボタン１４ｃ，静止画撮影モード切換ボタン１４ｄ，動画撮影モード切換ボタン１４ｅ，再生ボタン１４ｆ等や、メニューボタン１９ａや、閃光モード／消去ボタン１９ｂ等がある。
【００３９】
このように構成される本実施形態のカメラ１を画像表示機器として用いる場合の取り扱い例を図７に示す。この図７に示すように、使用者はカメラ１を両手によって保持して使用する。この場合において、使用者の右手１００Ｒはカメラ１の背面に向かって右側縁部近傍を、使用者の左手１００Ｌはカメラ１の背面に向かって左側縁部近傍を、それぞれ保持することになる。
【００４０】
したがって、この状態において右手１００Ｒの近傍には、回転入力指示部１５ａ（第１の操作部）や第１押圧入力指示部１５ｂ及び第２押圧入力指示部１５ｃ（第３の操作部）が配置されている。これにより、使用者は右手１００Ｒによってカメラ１の右側縁部を保持しつつ、同右手１００Ｒの親指を用いて、容易に回転入力指示部１５ａや第１押圧入力指示部１５ｂ及び第２押圧入力指示部１５ｃを操作することができるようになっている。
【００４１】
また、同状態において左手１００Ｌの近傍には、接触型入力指示部１６（第２の操作部）が配置されている。これにより、使用者は左手１００Ｌによってカメラ１の左側縁部を保持しつつ、同左手１００Ｌの親指を用いて、容易に接触型入力指示部１６を操作することができるようになっている。
【００４２】
次に、本実施形態のカメラ１を画像表示機器として用いる場合においておこなわれる各種の操作による作用を、以下に説明する。かかる作用は、制御部であるＣＰＵ２０によって実行される。
【００４３】
まず、本実施形態のカメラ１の撮影モード時において、回転入力指示部１５ａ（第１の操作部）と接触型入力指示部１６（第２の操作部）とを用いて、画像表示部１８の画面上で撮影条件設定をおこなう際の作用を、以下に説明する。
【００４４】
図８は、本実施形態のカメラにおいて回転入力指示部（第１の操作部）と接触型入力指示部（第２の操作部）とを用いて画像表示部の画面上で撮影条件設定をおこなう際の設定処理の流れを示すフローチャートである。図９〜図１４は、図８の設定処理に対応する操作の様子を示す図である。このうち、図９は本カメラ１の撮影モード時における画像表示部の通常状態を示す図である。図１０は、図９の状態において接触型入力指示部（第２の操作部）を操作した際の状態を示す図である。図１１は、図１０の操作によって画像表示部の表示が変化した状態を示す図である。図１２は、図１１の状態からさらに接触型入力指示部（第２の操作部）を操作した際の状態を示す図である。図１３は、図１２の状態からさらに接触型入力指示部（第２の操作部）または回転入力指示部（第１の操作部）のいずれかを操作した際の状態を示す図である。図１４は、図１３の操作を受けて撮影条件が最終的に設定された状態を示す図である。
【００４５】
まず、本カメラ１の電源がオン状態であり、かつ撮影準備状態であって、動作モードが撮影モードに設定されている状態にあるものとする。
【００４６】
この状態において、カメラ１の画像表示部１８には、図９に示すような表示がなされている。すなわち、画像表示部１８には、その画面上において、画面に向かって左側縁部に各種のアイコン表示が縦辺に沿って縦方向に並べて表示されている。ここで、図９に表示されている設定アイコンは、例えば撮影モード設定を示すアイコン，ホワイトバランス設定を示すアイコン，近接撮影モード設定を示すアイコン，ストロボ制御モード設定を示すアイコン，ドライブモード設定を示すアイコン，ＩＳＯ感度設定を示すアイコン等である（第２のアイコン群）。なお、第２のアイコン群は、接触型入力指示部１６（第２の操作部）による操作の対象となるアイコン群である。
【００４７】
なお、図９〜図１４にて示す例では、ホワイトバランス設定を選択設定する場合を示している。また、図９〜図１４においては、画像表示部１８の大部分が空白部分として図示されているが、この空白部分には、本来であれば撮像素子２２によって生成される画像データに基づく画像が順次表示されるようになっている。しかし、以下の説明において、その画像は作用の説明に直接必要なものではないことから、図面の煩雑化を避けるために図示を省略している。
【００４８】
この図９に示す状態において、図１０に示すように使用者が左手の指１０１Ｌにてセンサーである接触型入力指示部１６に触れる（図８のステップＳ１の処理）。この場合において、接触型入力指示部１６に触れる部位は、画面表示部１８に表示される設定アイコンのうち設定を所望する設定アイコンに隣接する部位である。
【００４９】
すると、図１１に示すように設定を所望する設定アイコン、すなわち図１０（図８のステップＳ１の処理）で使用者が触れた接触型入力指示部１６の部位に対応するアイコンがアクティブ状態に変化する（図８のステップＳ２の処理）。この場合において、図１１では、アクティブ状態になったアイコンを白抜きで示し、他の非アクティブ部分はハッチングにて図示している。
【００５０】
続いて、図８のステップＳ３において、使用者は左手の指１０１Ｌにてセンサーである接触型入力指示部１６の略同一部位に触れる（図８のステップＳ３の処理）。すると、画像表示部１８の画面上には、図１２に示すように接触によって指示入力した接触型入力指示部１６の部位に対応する設定アイコンの下位の階層のアイコン（第１のアイコン群）、すなわち所望する設定の選択項目候補の表示が出現する（図８のステップＳ４の処理）。なお、第１のアイコン群は、回転入力指示部１５ａ（第１の操作部）による操作の対象となるアイコン群である。
【００５１】
このとき選択項目候補は、画像表示部１８の長辺に平行となる方向（横方向）に複数のアイコンが並べて配置された状態で表示される。そして、現在設定されている項目がアクティブ状態（図１２では白抜きで示す）となっている。なお、図１２では他の非アクティブ部分はハッチングで図示している。具体的には、例えば図１２の状態では、ホワイトバランス設定のうち左端のデーライト設定が設定されていることを示している。
【００５２】
この状態において、さらに使用者は左手の指１０１Ｌにてセンサーである接触型入力指示部１６の略同一部位に触れる（図８のステップＳ５の処理）。すると、画像表示部１８の画面上の表示は、図１３に示すように現在設定されている設定項目に隣接する項目がアクティブ状態（図１３では白抜きで示す）に切り換わる。なお、他の非アクティブ部分はハッチングで図示しているのは同様である。具体的には、例えば図１３の状態では、ホワイトバランス設定のうち右端の蛍光灯設定が設定されていることを示している。
【００５３】
つまり、この状態にあるときには、接触型入力指示部１６の略同一部位への接触を繰り返すと、その都度アイコンのフォーカスが切り換わることになる。
【００５４】
また、これとは別に、図１２に示す状態において、使用者は、接触型入力指示部１６の略同一部位に触れる（ステップＳ５の処理）のに代えて、ローラー部材である回転入力指示部１５ａを図１３に示す矢印Ｒ方向（左右方向）の何れか一方へと回転させる（ステップＳ６処理）。この操作によっても、同様にアイコンのフォーカスが切り換わることになる。この場合には、回転入力指示部１５ａを回転させるごとにアイコンのフォーカスが連続的に次々と切り換わるので、より迅速な切り換え操作を容易におこなうことができる。
【００５５】
そして、使用者は、アイコンのフォーカスを所望の設定項目に合わせた状態で、接触型入力指示部１６の接触操作または回転入力指示部１５ａの回転操作を停止する。この状態が所定の時間継続すると、本カメラ１は、その時点でフォーカスされているアイコンに応じた設定を自動的におこなう（図８のステップＳ８の処理）。
【００５６】
すなわち、ここでは、最終的にフォーカスされたアイコンに応じた設定に決定され、設定制御が実行される。すると、画像表示部１８の表示は、図１４に示すように、上記一連の操作で決定されたアイコンがフォーカスされた状態となり、この状態が所定時間継続する。次いで、所定の時間が経過すると図９で示すような通常状態の表示に復帰する。ただし、この例においては、上述したような手順によってホワイトバランス設定が蛍光灯設定に切り換えられているので、その旨を示すアイコンの表示になっていることが、図９とは異なる。そして、一連の処理を終了する。
【００５７】
次に、本カメラ１の撮影モード時にメニューボタン１９ａが押された場合において、回転入力指示部（第１の操作部）と接触型入力指示部（第２の操作部）とを用いて画像表示部の画面上で撮影条件設定をおこなう際の作用を、以下に説明する。
【００５８】
図１５は、本実施形態のカメラにおいて、メニューボタンが押された場合に、回転入力指示部（第１の操作部）と接触型入力指示部（第２の操作部）とを用いて画像表示部の画面上で撮影条件設定をおこなう際の設定処理の流れを示すフローチャートである。図１６〜図１９は、図１５の設定処理に対応する操作の様子を示す図である。このうち、図１６は本カメラ１の撮影モード時においてメニューボタンが押された際の画像表示部の表示を示す図である。図１７は、図１６の状態において回転入力指示部（第１の操作部）を操作した際の状態を示す図である。図１８は、図１７の状態において接触型入力指示部（第２の操作部）を操作した際の状態を示す図である。図１９は、図１７の状態において第１押圧入力指示部１５ｂ及び第２押圧入力指示部１５ｃ（第３の操作部）を操作した際の状態を示す図である。
【００５９】
なお、図１６〜図１９を用いて以下に説明する例では、ホワイトバランス設定を選択設定する場合を示している。
【００６０】
まず、本カメラ１の電源がオン状態であり、かつ撮影準備状態であって、動作モードが撮影モードに設定されている状態にあるものとする。
【００６１】
この状態において、メニューボタン１９ａが押されると、カメラ１の画像表示部１８は、図１６に示すようなメニュー表示が表示される状態になる（図１５のステップＳ１１の処理）。
【００６２】
このときの画像表示部１８における画面下半部には、動作モード設定のための各種のアイコン（第１のアイコン群。図では六角形表示）が画面の横辺に沿って横方向に並べて例えば千鳥配置で表示されている。したがって、このときの画面下半部は、第１階層のアイコン、すなわち動作モードのアイコンが表示される動作モード設定表示領域という。なお、第１のアイコン群は、後述するように回転入力指示部１５ａ（第１の操作部）による操作の対象となるアイコン群である。
【００６３】
ここで、図１６に表示されているアイコンは、例えばドライブモード設定を示すアイコン（ＤＲＩＶＥ），ＩＳＯ感度設定を示すアイコン（ＩＳＯ），焦点調節動作モード設定を示すアイコン（ＡＦ），測光モード設定を示すアイコン（ＥＳＰ），ホワイトバランス設定を示すアイコン（ＷＢ），画像合成動作モードを示すアイコン（２ＩＮ１）等である。
【００６４】
そして、図１６の状態では、ドライブモード設定を示すアイコンが選択設定されている状態を示している（図１６ではハッチングで示す）。
【００６５】
なお、図１６〜図１９では図示されていないが、このほかに、例えば撮影モード設定を示すアイコン，近接撮影モード設定を示すアイコン，ストロボ制御モード設定を示すアイコンなどを加えてもよい。これらが画面上で一時に表示しきれない場合には、例えば回転入力指示部１５ａの回転操作によって画像表示部１８の画面上にて横スクロール形態で切り換え表示させるようにすればよい。
【００６６】
また、画像表示部１８の画面上半部には、上述の各設定アイコンに対応する下位の階層の選択項目候補のアイコン（第２のアイコン群）を、適宜縦方向に並べて表示するようになっている。したがって、このときの画面上半部は、第２階層のアイコン、すなわち選択項目候補が表示される選択項目候補表示領域という。なお、第２のアイコン群は、後述するように接触型入力指示部１６（第２の操作部）による操作の対象となるアイコン群である。
【００６７】
図１６において示す例では、ドライブモード設定での選択候補項目、すなわちシングル撮影モードを示す項目「ｓｉｎｇｌｅ」と連続撮影モードを示す項目「ｃｏｎｔｉｎｕｅ」との二つの項目が表示されている。
【００６８】
また、このとき、接触型入力指示部１６の一部の領域（図１６〜図１９の符号Ａ，Ａ１で示す領域）が、選択可能範囲として，他の領域（同図符号Ｂ，Ｂ１）に対して明示される。そのための明示手段としては、例えばカメラ１の内部であって接触型入力指示部１６の後方部位に発光ダイオード（ＬＥＤ）等の表示部材（特に図示せず）が設けられている。これを制御部であるＣＰＵ２０が設定項目毎に点灯制御することで、接触型入力指示部１６の対応する所定の領域を明示する。この選択可能範囲は、設定項目の選択候補項目の数に応じた範囲であって、画面上の選択候補項目に応じて、その範囲が異なる。
【００６９】
例えば、ドライブモード設定時（ＤＲＩＶＥ）には、図１６に示す符号Ａの領域が選択可能範囲として明示される。また、ホワイトバランス設定時（ＷＢ）には、図１７〜図１９に示す符号Ａ１の領域が選択可能範囲として明示される。
【００７０】
この状態（図１６の状態）において、ローラー部材である回転入力指示部１５ａを図１７の符号Ｒ方向（左右方向）に回転操作する（図１５のステップＳ１２の処理）。
【００７１】
すると、画像表示部１８の画面下半部の動作モード設定領域において、選択設定すべきアイコンが順次非設定状態から設定状態へと移動する。つまり、画像表示部１８の画面下半部において第１階層のアイコンのフォーカスが遷移する（図１５のステップＳ１３の処理）。
【００７２】
そして、設定を所望するアイコン上で回転入力指示部１５ａの回転操作を停止する。例えば、ここでホワイトバランス設定を所望している場合には、図１７に示すようにホワイトバランス設定を示すアイコン（ＷＢ）が、選択設定された状態（図１７に示すハッチングで示す状態）となったとき、回転入力指示部１５ａの回転操作を停止する。
【００７３】
なお、このＷＢが選択された状態においては、画像表示部１８の画面上半部には、「ｆｉｎｅ」，「ｃｌｏｕｄｙ」，「ｉｎｄｏｏｒ」の三つの選択項目候補が対応して表示され、このうち「ｆｉｎｅ」が現在選択されているものとして、その項目がハッチングで示されている。
【００７４】
続いて、この状態（図１７の状態）において、使用者はセンサーである接触型入力指示部１６のうちの選択可能範囲（符号Ａ１）の所定の部位、すなわち表示される選択項目候補のうちの所望の選択項目に対応する部位に触れる（図１５のステップＳ１４の処理）。
【００７５】
もしくは、この状態（図１７の状態）において、使用者は上下ボタンである第１押圧入力指示部１５ｂ及び第２押圧入力指示部１５ｃ（第３の操作部）のいずれかを押し下げ操作してもよい（図１５のステップＳ１５の処理）。
【００７６】
接触型入力指示部１６のうちの選択可能範囲（符号Ａ１）の所定の部位に触れることによって（ステップＳ１４）、もしくは第１押圧入力指示部１５ｂ及び第２押圧入力指示部１５ｃの押し下げ操作によって（ステップＳ１５）、画像表示部１８の選択項目候補表示領域に表示されている項目候補の設定状態（図１７〜図１９においてハッチングで示す）が移動する。つまり、接触型入力指示部１６または第１押圧入力指示部１５ｂ及び第２押圧入力指示部１５ｃを操作するごとに選択項目候補のフォーカスが上下方向に遷移する（図１５のステップＳ１６の処理）。
【００７７】
そして、設定したい項目を設定状態とすることで設定は完了する。この状態で、再度、回転入力指示部１５ａの回転操作をおこなえば、別の動作モードの設定をおこなうことができる。また、メニューボタン１９ａが押されることによって、図１５の処理シーケンスから元の状態、すなわち通常の撮影モードにおける撮影準備状態に復帰する。
【００７８】
次に、本カメラ１が再生モードで動作している場合において、回転入力指示部１５ａを操作した際の作用を、以下に説明する。
【００７９】
図２０〜図２２は、本実施形態のカメラを再生モードで動作させ、撮影済みかつ記録済みの画像を順次再生表示する際のようすを示す図である。図２０は、カメラが再生モードで動作している場合において任意の撮影記録済み画像が画像表示部に再生表示されている状態を示す図である。図２１は、図２０の状態から回転入力指示部の回転操作を行った際の画像表示部の表示画像を示す図である。図２２は、図２１の状態の後、回転入力指示部の回転操作によって、次の撮影記録済み画像の再生表示が完了した際の画像表示部の表示画像を示す図である。
【００８０】
まず、本カメラ１の電源がオン状態であり、かつ動作モードが再生モードに設定されている状態にあるものとする。このとき、カメラ１の画像表示部１８には、図２０に示すように撮影記録済みの画像データのうちの任意の画像、例えば最新の画像データに基づく画像（最新画像）１８ａが再生表示されている状態にある。そして、ＣＰＵ２０がＲＯＭ２８のプログラムを読み込んで、以下に説明する処理を実行する画像切換部として機能する。
【００８１】
この状態において、使用者は回転入力指示部１５ａを図２１に示す矢印Ｒ１方向へと回転操作する。この操作を検出して、画像切換部が、画像表示部１８の画面上で、現在表示中の最新画像１８ａから、この最新画像１８ａよりも以前に取得された所定の画像データに基づく画像１８ｂへと切り換える表示動作をおこなう。
【００８２】
つまり、回転入力指示部１５ａを図２１に示す矢印Ｒ１方向へと回転操作することで、画像表示部１８の画面上に現在表示中の最新画像１８ａ（図２０参照）は、図２１に示すように矢印Ｘ方向への横スクロール（横移動）を開始し、同最新画像１８ａに代わって次の画像１８ｂが表示されるようになっている。この場合において、前面に表示される画像１８ａは右側へ移動させつつ再生表示がなされる一方、次に表示されるべき画像１８ｂは、画面の左側から徐々にその表示部分が現われることになる。ここで、最新画像１８ａの横スクロールする位置は、回転入力指示部の回転角で定まる。例えば回転角度９０度（°）で最新画像１８ａの右側へ完全に移動させるようになっている。この画像１８ｂは、画像表示部１８の画面上において全領域が完全に表示されるまでは、例えば若干の明度を落とした表示となっている（このことは図２１においてハッチングで示している）。そして、図２２に示すように画像１８ｂは、画像表示部１８の画面上への再生表示を完了した時点で、通常の再生表示状態となる。このことは、表示中であった画像１８ａと次に表示すべき画像１８ｂとの表示形態を異なるものとすることで、それらが別画像であることを、使用者に認知させるための措置である。また、実際のプリント画をめくるような感覚を使用者に与えることもできる。
【００８３】
なお、ここで、最新画像１８ａの次の画像１８ｂは、最新画像１８ｂよりも一つ前に取得された画像データに基づく画像、もしくは本カメラ１の記録媒体に記録されている画像データのうち最初に取得された画像データに基づく画像のいずれかである。
【００８４】
このように、本カメラ１においては、再生表示画像の切り換え動作を回転入力指示部１５ａの一操作のみで実行できるようになっている。そして、回転入力指示部１５ａの回転方向によって、画像表示部１８に再生表示中の画像の前後の画像を任意に呼び出して再生表示することができるようになっている。
【００８５】
したがって、同様の操作を繰り返しおこなうことによって、画像表示部１８の画面上に撮影記録済みの画像を順次切り換えて再生表示することができるようになっている。
【００８６】
図２３〜図２５は、本実施形態のカメラを再生モードで動作させている際に、画像表示部に表示中の画像についての拡大表示または縮小表示をおこなうようすを示す図である。図２３は、カメラが再生モードで動作し任意の撮影記録済み画像が画像表示部に再生表示されている状態を示す図である。図２４は、図２３の状態において接触型入力指示部の操作によって拡大表示をおこなった際の画像表示部を示す図である。図２５は、図２３の状態において接触型入力指示部の操作によって縮小表示をおこなった際の画像表示部を示す図である。
【００８７】
まず、本カメラ１の電源がオン状態であり、かつ動作モードが再生モードに設定されている状態にあるものとする。このとき、カメラ１の画像表示部１８には、撮影記録済みの画像データのうちの任意の画像、例えば最新の画像データに基づく最新画像が再生表示されている。この場合において、画像表示部１８に表示されている画像は、例えば図２３に示すように任意の画像において、一部が拡大されてた状態の拡大画像１８ｃであるものとする。
【００８８】
この状態（図２３の状態）において、使用者は例えば指などを接触型入力指示部１６に触れた状態で図２４に示す矢印Ｙ１方向へと移動させる。すると、画像表示部１８の画面上では、現在表示中の拡大画像１８ｃの略中央部分がさらに拡大される表示動作がおこなわれる。そして、画像表示部１８には、図２４に示すような画像１８ｄが表示される。
【００８９】
また、図２３の状態や図２４の状態において、使用者が同様に例えば指などを接触型入力指示部１６に触れた状態で図２５に示す矢印Ｙ２方向へと移動させる。すると、画像表示部１８の画面上では、現在表示中の画像１８ｃまたは画像１８ｄの略中央部分を中心として画像全体が縮小される表示動作がおこなわれる。つまり、その画像データ本来の画像の全領域の表示を限度として、拡大画像１８ｃ，１８ｄに対して縮小表示がなされる。そして、画像表示部１８には、図２５に示すような画像１８ｅが表示される。
【００９０】
なお、本実施形態においては、接触型入力指示部１６の移動量に応じて拡大表示または縮小表示の変化量が決定されるようになっている。また、その変化は、段階的にまたは連続的に変化するようになっている。
【００９１】
このように、本カメラ１においては、再生表示画像の部分拡大表示または縮小表示の切り換え動作を接触型入力指示部１６の一操作のみで実行できるようになっている。そして、接触型入力指示部１６の移動方向によって、画像表示部１８に再生表示中の画像の部分拡大表示または元データの全領域表示を限度とする縮小画像を任意に再生表示することができるようになっている。
【００９２】
これに加えて、例えば画像表示部１８に拡大画像１８ｃ，１８ｄが表示されているときに、回転入力指示部１５ａの回転操作と第１押圧入力指示部１５ｂ及び第２押圧入力指示部１５ｃの押し下げ操作をおこなうと、表示中の画像の表示位置を上下左右に変更することができるようにしてもよい。
【００９３】
この場合には、例えば、拡大画像１８ｃ，１８ｄが画像表示部１８に表示されている状態において、拡大したい所望の部位を回転入力指示部１５ａと第１押圧入力指示部１５ｂ及び第２押圧入力指示部１５ｃによって設定した後、接触型入力指示部１６を用いることにより、表示中の画像の全領域のうちの所望する任意の部位の部分拡大表示を、容易におこなうことができるようになる。
【００９４】
これに加えて、例えば画像表示部１８に拡大画像１８ｃ，１８ｄが表示されているときに、回転入力指示部１５ａの回転操作と第１押圧入力指示部１５ｂ及び第２押圧入力指示部１５ｃの押し下げ操作をおこなうと、表示中の画像の表示位置を上下左右に変更することができるようにしてもよい。
【００９５】
この場合には、例えば、拡大画像１８ｃ，１８ｄが画像表示部１８に表示されている状態において、拡大したい所望の部位を回転入力指示部１５ａと第１押圧入力指示部１５ｂ及び第２押圧入力指示部１５ｃによって設定した後、接触型入力指示部１６を用いることにより、表示中の画像の全領域のうちの所望する任意の部位の部分拡大表示を、容易におこなうことができるようになる。
【００９６】
図２６〜図２８は、本実施形態のカメラを再生モードで動作させている際に、撮影記録済みの画像のうちの複数の縮小画像が画像表示部の画面上に並べて表示されているようすを示す図である。図２６は、画像表示部に撮影記録済み画像のうちの４枚分の縮小画像を並べて表示した表示形態を示している。図２７は、画像表示部に撮影記録済み画像のうちの９枚分の縮小画像を並べて表示した表示形態を示している。図２８は、画像表示部に撮影記録済み画像のうちの１６枚分の縮小画像を並べて表示した形態を示している。
【００９７】
まず、図２５の状態、すなわち本カメラ１の電源がオン状態であり、かつ動作モードが再生モードに設定されている状態にあり、かつカメラ１の画像表示部１８には、撮影記録済みの画像データのうちの任意の画像、例えば最新の画像データに基づく最新画像の全体表示が、その表示領域全体を用いて再生表示されている。
【００９８】
この状態（図２５の状態）において、使用者が例えば指などを接触型入力指示部１６に触れた状態で図２５に示す矢印Ｙ２方向へとさらに移動させる。すると、画像表示部１８の画面上には、図２６に示すように撮影記録済みの画像のうち例えば最新の４枚分の縮小画像が縦横２枚ずつ並べて表示した状態の画像１８ｆが表示される。
【００９９】
この状態（図２６の状態）から、さらに使用者が例えば指などを接触型入力指示部１６に触れた状態で図２６に示す矢印Ｙ２方向へとさらに移動させる。すると、画像表示部１８の画面上には、図２７に示すように撮影記録済みの画像のうち例えば最新の９枚分の縮小画像が縦横３枚ずつ並べて表示した状態の画像１８ｇが表示される。
【０１００】
この状態（図２７の状態）から、さらに使用者が例えば指などを接触型入力指示部１６に触れた状態で図２７に示す矢印Ｙ２方向へとさらに移動させる。すると、画像表示部１８の画面上には、図２８に示すように撮影記録済みの画像のうち例えば最新の１６枚分の縮小画像が縦横４枚ずつ並べて表示した状態の画像１８ｈが表示される。
【０１０１】
なお、この場合においても、接触型入力指示部１６の移動量に応じて画像表示部１８の画面上に表示する縮小画像の数が段階的に変化するようになっている。
【０１０２】
次に、ランダムな指示ができる接触型入力指示部１６の特性を活かしたさらなる操作の例を示す。
【０１０３】
図２９及び図３０は、本実施形態のカメラを再生モードで動作させ、かつ撮影記録済みの画像にうちの複数の縮小画像が画像表示部の画面上に並べて表示されているようすを示す図である。図２９は、画像表示部に撮影記録済み画像のうちの最初の９枚分の縮小画像が並べて表示されている状態を示している。図３０は、画像表示部に撮影記録済み画像のうちの任意の９枚分の縮小画像が並べて表示されている状態を示している。
【０１０４】
図２９に示す状態においては、例えば画像表示部１８には、撮影記録済み画像のうちの最初の９枚分の縮小画像が並べて表示されているものとする。この場合において、図２９の画像表示部１８の画面上の枠内に示す数字は、個々の画像を表わす画像コマ番号とする。すなわち、図２９に示す例では、コマ番号１からコマ番号９までの９枚分の縮小画像が並べて表示されている状態の画像１８ｋが表示されている。
【０１０５】
この状態（図２９の状態）において、使用者が例えば指などを接触型入力指示部１６の任意の部位（符号Ａ２）に触れる。すると、画像表示部１８の画面上には、撮影記録済み画像のうちの触れられた部位に対応するコマ番号の９枚分の縮小画像が並べて表示された状態になる。図３０に示す例では、接触型入力指示部１６の符号Ａ２で示す部位に触れることによって、画像表示部１８の画面上には、コマ番号５１６からコマ番号５２４までの９枚分の縮小画像が並べて表示される。
【０１０６】
なお、この場合においては、接触型入力指示部１６の触れる絶対位置によって表示される画像が決定されることになっている。したがって、例えば図３０の状態において、接触型入力指示部１６の符号Ａ３で示す部位に触れると図２９に示す表示に戻る。この状態で再度、接触型入力指示部１６の符号Ａ２で示す部位に触れると、図３０に示す表示がなされるようになっている。
【０１０７】
このように、再生モード時において縮小画像を並べて表示している状態で、接触型入力指示部１６の任意の部位に触れるのみで任意の画像を画像表示部１８に表示させることができることから、撮影記録済みの複数の画像の中から所望の画像表示をおこなう際に、コマ番号に従って順に表示させていく必要がなく、所望の画像表示を短時間でおこなうことができるようになっている。
【０１０８】
以上説明したように上記一実施形態によれば、画像表示部１８に向かって左右の両端部近傍の各部位に、接触型入力指示部１６（第２の操作部）と、回転入力指示部１５ａ（第１の操作部）と第１押圧入力指示部１５ｂ及び第２押圧入力指示部１５ｃ（第３の操作部）と、をそれぞれ配置するようにしたので、使用者は右手と左手とでそれぞれおこなわれる操作系が明確に分担されるようになっている。したがって、両手を用いて画像表示機器であるカメラ１を保持した状態でも、優れた操作性を確保することができる。
【０１０９】
ところで、上述の一実施形態においては、回転入力指示部１５ａ（第１の操作部）と第１押圧入力指示部１５ｂ及び第２押圧入力指示部１５ｃ（第３の操作部）を画像表示部１８に向かって右側縁部近傍に、接触型入力指示部１６（第２の操作部）を左側縁部近傍に、それぞれ配置した例を示している。しかし、回転入力指示部１５ａ（第１の操作部）と第１押圧入力指示部１５ｂ及び第２押圧入力指示部１５ｃ（第３の操作部）と、接触型入力指示部１６（第２の操作部）との配置は、これに限ることはない。例えば図３１は、上述の一実施形態とは異なる各操作部の配置例を示している。
【０１１０】
図３１に示す一例では、回転入力指示部１５ａ（第１の操作部）と第１押圧入力指示部１５ｂ及び第２押圧入力指示部１５ｃ（第３の操作部）を画像表示部１８に向かって左側縁部近傍であって、本カメラ１Ａの背面カバーの側縁部近傍の角隅部に配設している。
【０１１１】
また、本例においては、接触型入力指示部１６（第２の操作部）は、上述の一実施形態と略同様に、画像表示部１８の左側縁部近傍に配置している。
【０１１２】
また、図３２に示す別の一例では、回転入力指示部１５ａ（第１の操作部）と第１押圧入力指示部１５ｂ及び第２押圧入力指示部１５ｃ（第３の操作部）を上述の一実施形態と全く同位置に配置している。つまり、画像表示部１８に向かって右側縁部近傍であって、本カメラ１Ｂの背面カバーの側縁部近傍の角隅部に配設している。
【０１１３】
そして、上述の一実施形態における第２の操作部としての接触型入力指示部１６に代えて、本例においては、第２の回転入力指示部１５Ａを画像表示部１８の左側縁部近傍に配置している。
【０１１４】
この第２の回転入力指示部１５Ａは、その基本的な構成は上記回転入力指示部１５ａと同様に構成されるものである。ただし、この第２の回転入力指示部１５Ａにおいては、回転入力指示部１５ａの回転軸１５ｘ（特に図３２では図示せず。図３参照）に直交する方向に沿う回転軸（図示せず）を備えて構成されている。これにより、第２の回転入力指示部１５Ａは、カメラ１Ｂの固定部材に対して図３２に示す矢印Ｒ２方向に回動自在に軸支されている。
【０１１５】
したがって、第２の回転入力指示部１５Ａについて矢印Ｒ２方向への回転操作をおこなうことによって生じる作用は、上述の一実施形態における接触型入力指示部１６についての長手方向への接触移動操作をおこなった場合と同様の作用を生じさせることができるようになっている。
【０１１６】
ところで、上述の一実施形態においては、携帯型画像表示機器としてのデジタルカメラの一例を示しているが、これとは異なるデジタルカメラの構成例について、図３３〜図３７を用いて以下に説明する。
【０１１７】
図３３〜図３７は、上記一実施形態とは別の携帯型画像表示機器であるカメラの外観を示す図である。このうち、図３３は正面図、図３４は背面図、図３５は上面図、図３６は図３３の矢印[36]方向から見た左側面図、図３７は図３３の矢印[37]方向から見た右側面図である。
【０１１８】
本構成例のカメラ１Ｃの基本的な構成は、上述の一実施形態のカメラ１（図１〜図５参照）と略同様である。以下の説明では上述の一実施形態とは異なる部分について詳述し、同様の部分については同じ符号を附してその説明は省略する。
【０１１９】
本構成例のカメラ１Ｃは、カメラ１Ｃの前面側を覆うように配設される前面カバー１１Ｃと、同様にカメラ１Ｃの背面側を覆うように配設される背面カバー１２Ｃとによって構成される外装部材によって、略箱型形状の筐体が形成されている。この外装部材の内部空間に撮影光学系や撮像素子や電気回路等の各種の構成部材を具備して構成されている。
【０１２０】
前面カバー１１Ｃの略中央部分にはレンズバリア１１Ｃａが配設されている。このレンズバリア１１Ｃａは、電源スイッチ（図示せず）のオンオフに応じて開閉するようになっており、閉状態となったとき（図１の状態）内部に配設される撮影光学系（図示せず）の前面を覆い、開状態となったとき同撮影光学系の前面を露呈するようになっている。
【０１２１】
また、前面カバー１１Ｃには、撮影補助光である閃光を発光するための閃光発光装置（図示せず）の発光窓１１ｂや、セルフタイマ表示用ＬＥＤ発光窓及びマイクロフォン窓を具備するユニット１９が設けられている。
【０１２２】
カメラ１Ｃの上面側には、各種の操作部材、例えばシャッターレリースボタン１４Ｃａ，ズームレバー１４Ｃｂ，電源オンオフボタン１４Ｃｃ，モード切換レバー１４Ｃｇ等が配設されている。
【０１２３】
カメラ１Ｃの正面に向かって左側面には、本カメラ１Ｃを携帯する際に用いるストラップ等を取り付けるための吊り具１７Ｃが配設されている。
【０１２４】
そして、カメラ１Ｃの背面側には、その略中央部分に画像表示部１８が配設されている。この画像表示部１８の一方の側部近傍の領域にあって、図３４においてカメラ１Ｃの背面に向かって（画像表示部１８に向かって）右側の領域には、回転入力指示部１５ａ（回転操作式の第１の操作部）と、第１押圧入力指示部１５ｂ及び第２押圧入力指示部１５ｃ（押圧操作式の第３の操作部）と、メニューボタン１９ａと、閃光モード／消去ボタン１９ｂとが配設されている。
【０１２５】
回転入力指示部１５ａは、図３４に示すように本カメラ１Ｃの背面に向かって右側縁部であって背面カバー１２Ｃの角隅部に配設されている。
【０１２６】
一方、画像表示部１８の他方の側部近傍の領域であって、図３４においてカメラ１Ｃの背面に向かって（画像表示部１８に向かって）左側の領域には、接触型入力指示部１６（接触操作式の第２の操作部）が配設されている。
【０１２７】
このように構成される本カメラ１Ｃにおいても、上述の一実施形態と全く同様に作用し、同じ効果を得ることができる。
【図面の簡単な説明】
【０１２８】
【図１】本発明の一実施形態の携帯型画像表示機器の正面図。
【図２】本発明の一実施形態の携帯型画像表示機器の背面図。
【図３】本発明の一実施形態の携帯型画像表示機器の上面図。
【図４】図１の矢印[IV]方向から見た左側面図。
【図５】図１の矢印[V]方向から見た右側面図。
【図６】本発明の一実施形態の携帯型画像表示機器の概略的な内部構成を示す要部ブロック構成図。
【図７】本発明の一実施形態の携帯型画像表示機器を使用する際の様子を示す図。
【図８】本発明の一実施形態の携帯型画像表示機器において回転入力指示部（第１の操作部）と接触型入力指示部（第２の操作部）とを用いて画像表示部の画面上で撮影条件設定をおこなう際の設定処理の流れを示すフローチャート。
【図９】図８の設定処理に対応する操作の様子を示す図であって、当該機器の撮影モード時における画像表示部の通常状態を示す図。
【図１０】図９の状態において接触型入力指示部（第２の操作部）を操作した際の状態を示す図。
【図１１】図１０の操作によって画像表示部の表示が変化した状態を示す図。
【図１２】図１１の状態からさらに接触型入力指示部（第２の操作部）を操作した際の状態を示す図。
【図１３】図１２の状態からさらに接触型入力指示部（第２の操作部）または回転入力指示部（第１の操作部）のいずれかを操作した際の状態を示す図。
【図１４】図１３の操作を受けて撮影条件が最終的に設定された状態を示す図。
【図１５】本発明の一実施形態の携帯型画像表示機器においてメニューボタンが押された場合に、回転入力指示部（第１の操作部）と接触型入力指示部（第２の操作部）とを用いて画像表示部の画面上で撮影条件設定をおこなう際の設定処理の流れを示すフローチャート。
【図１６】図１５の設定処理に対応する操作の様子を示す図であって、当該機器の撮影モード時においてメニューボタンが押された際の画像表示部の表示を示す図。
【図１７】図１５の状態において回転入力指示部（第１の操作部）を操作した際の状態を示す図。
【図１８】図１７の状態において接触型入力指示部（第２の操作部）を操作した際の状態を示す図。
【図１９】図１７の状態において第１押圧入力指示部１５ｂ及び第２押圧入力指示部１５ｃ（第３の操作部）を操作した際の状態を示す図。
【図２０】本発明の一実施形態の携帯型画像表示機器を再生モードで動作させ、撮影済みかつ記録済みの画像を順次再生表示する際のようすを示す図であって、任意の撮影記録済み画像が画像表示部に再生表示されている状態を示す図。
【図２１】図２０の状態から回転入力指示部の回転操作を行った際の画像表示部の表示画像を示す図。
【図２２】図２１の状態の後、回転入力指示部の回転操作によって、次の撮影記録済み画像の再生表示が完了した際の画像表示部の表示画像を示す図。
【図２３】本発明の一実施形態の携帯型画像表示機器を再生モードで動作させている際に、画像表示部に表示中の画像についての拡大表示または縮小表示をおこなうようすを示す図であって、任意の撮影記録済み画像が画像表示部に再生表示されている状態を示す図。
【図２４】図２３の状態において接触型入力指示部の操作によって拡大表示をおこなった際の画像表示部を示す図。
【図２５】図２３の状態において接触型入力指示部の操作によって縮小表示をおこなった際の画像表示部を示す図。
【図２６】本発明の一実施形態の携帯型画像表示機器を再生モードで動作させている際に、撮影記録済みの画像のうちの４枚分の縮小画像を画像表示部の画面上に並べて表示した表示形態を示す図。
【図２７】本発明の一実施形態の携帯型画像表示機器を再生モードで動作させている際に、撮影記録済みの画像のうちの９枚分の縮小画像を画像表示部の画面上に並べて表示した表示形態を示す図。
【図２８】本発明の一実施形態の携帯型画像表示機器を再生モードで動作させている際に、撮影記録済みの画像のうちの１６枚分の縮小画像を画像表示部の画面上に並べて表示した表示形態を示す図。
【図２９】本発明の一実施形態の携帯型画像表示機器を再生モードで動作させている際に、撮影記録済みの画像のうちの最初の９枚分の縮小画像が画像表示部の画面上に並べて表示されている状態を示す図。
【図３０】本発明の一実施形態の携帯型画像表示機器を再生モードで動作させている際に、撮影記録済みの画像のうちの任意の９枚分の縮小画像が画像表示部の画面上に並べて表示されている状態を示す図。
【図３１】本発明の一実施形態の携帯型画像表示機器における回転入力指示部１５ａ（第１の操作部）と第１押圧入力指示部１５ｂ及び第２押圧入力指示部１５ｃ（第３の操作部）と接触型入力指示部１６（第２の操作部）の異なる配置の一例を示す図。
【図３２】本発明の一実施形態の携帯型画像表示機器における回転入力指示部１５ａ（第１の操作部）と第１押圧入力指示部１５ｂ及び第２押圧入力指示部１５ｃ（第３の操作部）と接触型入力指示部１６（第２の操作部）のさらに異なる配置の一例を示す図。
【図３３】本発明の一実施形態とは別の構成の携帯型画像表示機器を示す正面図。
【図３４】図３３の携帯型画像表示機器の背面図。
【図３５】図３３の携帯型画像表示機器の上面図。
【図３６】図３３の矢印[36]方向から見た左側面図。
【図３７】図３３の矢印[37]方向から見た右側面図。
【符号の説明】
【０１２９】
１，１Ａ，１Ｂ，１Ｃ……カメラ
１１，１１Ｃ……前面カバー
１２，１２Ｃ……背面カバー
１３……中カバー
１５……右側操作部
１５ａ……回転入力指示部
１５ｂ……第１押圧入力指示部
１５ｃ……第２押圧入力指示部
１５ｘ……回転軸
１５Ａ……第２の回転入力指示部
１６……接触型入力指示部
１８……画像表示部
１９ａ……メニューボタン
【図１】
2006303714.tif 000003
【図２】
2006303714.tif 000004
【図３】
2006303714.tif 000005
【図４】
2006303714.tif 000006
【図５】
2006303714.tif 000007
【図６】
2006303714.tif 000008
【図７】
2006303714.tif 000009
【図８】
2006303714.tif 000010
【図９】
2006303714.tif 000011
【図１０】
2006303714.tif 000012
【図１１】
2006303714.tif 000013
【図１２】
2006303714.tif 000014
【図１３】
2006303714.tif 000015
【図１４】
2006303714.tif 000016
【図１５】
2006303714.tif 000017
【図１６】
2006303714.tif 000018
【図１７】
2006303714.tif 000019
【図１８】
2006303714.tif 000020
【図１９】
2006303714.tif 000021
【図２０】
2006303714.tif 000022
【図２１】
2006303714.tif 000023
【図２２】
2006303714.tif 000024
【図２３】
2006303714.tif 000025
【図２４】
2006303714.tif 000026
【図２５】
2006303714.tif 000027
【図２６】
2006303714.tif 000028
【図２７】
2006303714.tif 000029
【図２８】
2006303714.tif 000030
【図２９】
2006303714.tif 000031
【図３０】
2006303714.tif 000032
【図３１】
2006303714.tif 000033
【図３２】
2006303714.tif 000034
【図３３】
2006303714.tif 000035
【図３４】
2006303714.tif 000036
【図３５】
2006303714.tif 000037
【図３６】
2006303714.tif 000038
【図３７】
2006303714.tif 000039